(57)【要約】    【課題】  直線状の軸線に沿う連結孔部を有する第１部材に対し、その連結孔部に嵌挿された状態で軸線方向にスライドし得る第２部材を、円滑且つ敏速に固定及び固定解除し得る連結体の提供。    【解決手段】  ブレーキ片Ｃが第２部材Ｂの作動部Ｂ２に外嵌し、ブレーキ用ねじ部Ｃ２が作動用ねじ部Ｂ３と螺合した状態で、第１部材Ａの連結孔部Ａ１に嵌挿する。第１部材Ａに対し第２部材Ｂを回動させることによりブレーキ片Ｃを連結孔部Ａ１に圧接させて第１部材Ａと第２部材Ｂを固定し、逆向きに回動させることにより固定を解除する。解除方向に回転を続けると作動用ねじ部Ｂ３の解除側終端部ＢＸとブレーキ用ねじ部Ｃ２の解除側終端部ＣＸが回転の向きに接し合う。作動用ねじ部Ｂ３の解除側終端部ＢＸは、ブレーキ片Ｃの周方向における切欠部Ｃ１の上流側の３分の１の位置とする。【選択図】      図３
2015161383.tif 000002
【特許請求の範囲】
【請求項１】
直線状の軸線に沿う連結孔部を有する第１部材と、
直線状の軸線に沿う嵌挿スライド部であって前記連結孔部に嵌挿された状態でその連結孔部に対し軸線方向にスライドし得るものを有する第２部材と、
周方向の一部を切欠し、ほぼ径方向に弾性的に拡縮し得る切欠環状のブレーキ片を有してなる連結体であって、
前記第２部材の嵌挿スライド部に、外周側に作動用ねじ部を有し、外周部の径方向の寸法が軸線方向位置により異なる作動部を備え、
前記ブレーキ片は、ブレーキ用ねじ部を内周側に有し、
前記作動部に前記ブレーキ片が外嵌して前記作動用ねじ部と前記ブレーキ用ねじ部が螺合し、ブレーキ片と第２部材の嵌挿スライド部が軸線のまわりに相対的に回動することにより作動部に対するブレーキ片の相対的な軸線方向位置が変化し得、
作動部の外周部の径方向の寸法が軸線方向位置により異なるため、作動部に対しブレーキ片が軸線方向において所定の位置に位置することにより、ブレーキ片の外周部が前記連結孔部の内周部に圧接する状態となり、作動部に対しブレーキ片が軸線方向において前記所定位置以外の位置に位置することにより、前記連結孔部の内周部に対するブレーキ片の外周部の圧接が解除された状態となり、
連結孔部の内周部に対するブレーキ片の外周部の圧接が解除された状態において、ブレーキ片の外周部の少なくとも一部は第１部材の連結孔部の内周部に接し得、第１部材に対し第２部材を一方の向きに相対回動させることにより、ブレーキ片の外周部の少なくとも一部が第１部材の連結孔部の内周部に接して第１部材に対する回転が阻止又は抑制されたブレーキ片に対し第２部材の嵌挿スライド部が同じ一方の向きに相対回動し、作動部に対しブレーキ片を前記所定の位置に相対的に移動させてブレーキ片の外周部が連結孔部の内周部に対し圧接した状態とすることができ、
ブレーキ片が作動部に対し前記所定の位置に位置してブレーキ片の外周部が連結孔部の内周部に対し圧接した状態において、第１部材に対し第２部材を前記一方の向きとは逆の向きである他方の向きに相対回動させることにより、ブレーキ片に対し第２部材の嵌挿スライド部を同じく他方の向きに相対回動させて作動部に対しブレーキ片を所定の位置から相対的に移動させ、連結孔部の内周部に対するブレーキ片の外周部の圧接状態を解除することができ、
前記作動用ねじ部とブレーキ用ねじ部は、ブレーキ片に対し第２部材の嵌挿スライド部が、連結孔部の内周部に対するブレーキ片の外周部の圧接状態が解除される向きである前記他方の向きに相対回転し続けた場合、作動用ねじ部の解除側終端部とブレーキ用ねじ部の解除側終端部が回転の向きに接し合う状態に達してそれ以上の相対回転が阻止される構造を有し、
ブレーキ用ねじ部の解除側終端部は、ブレーキ片の周方向における切欠部の上流側に位置し、
ブレーキ用ねじ部の解除側終端部と作動用ねじ部の解除側終端部が回転の向きに接し合った状態から、更に第１部材に対し第２部材を前記他方の向きに相対回動させようとした場合に、第１部材に対するブレーキ片の相対回動が妨げられることが防がれることを特徴とする連結体。
【請求項２】
ブレーキ用ねじ部の解除側終端部が、ブレーキ片の周方向における切欠部の上流側の２分の１以下の位置に位置する請求項１記載の連結体。
【請求項３】
作動部に、外周部が膨出した膨出部と、膨出していない非膨出部を有し、
ブレーキ片が作動部の膨出部に位置する場合、そのブレーキ片の外周部は連結孔部の内周部に対し圧接し得、
作動部の非膨出部に位置するブレーキ片の外周部は連結孔部の内周部に対し圧接し得ない請求項１又は２記載の連結体。
【請求項４】
作動部における前記非膨出部から膨出部にわたる全部又はその一部が、外周部が軸線方向一方に向かって漸次膨出するものである請求項３記載の連結体。
【発明の詳細な説明】
【技術分野】
【０００１】
本発明は、清掃用具又はその他の器具の柄、或いは物干し竿等として用いられる伸縮パイプ等の連結体に関する。
【背景技術】
【０００２】
実公昭６１−３１７５７号公報には、大径竿と、大径竿に摺動可能に圧入装着される膨径ナットと、大径竿に嵌挿可能な小径竿からなり、前記膨径ナットは外壁に割溝を有すると共に内部に雌螺子を有し、前記小径竿の先端に雄螺子を設けた係止ボルトを有する伸縮竿の発明が開示されている。
【０００３】
この伸縮竿においては、大径竿に対し小径竿を順回転させて膨径ナットの雌螺子に係止ボルトの雄螺子を十分に螺合させることにより、膨径ナットの割溝が拡がって外径が拡大した膨径ナットの外周面を大径竿の内部の任意箇所に圧接固定させることができる。この状態で大径竿に対し小径竿を逆回転させて膨径ナットの雌螺子に対する係止ボルトの雄螺子の螺合を緩めれば、膨径ナットの外径の拡大による大径竿の内部に対する圧接を解除して膨径ナットを大径竿の内部で軸線方向に摺動させて竿を伸縮させることができる。
【０００４】
しかしながら、大径竿の内部に対する膨径ナットの外周面の圧接を解除する際に大径竿に対し小径竿を逆回転させすぎると、膨径ナットから係止ボルトが離脱してしまい、伸縮操作を円滑に行い得ないこととなる。
【先行技術文献】
【特許文献】
【０００５】
【特許文献１】実公昭６１−３１７５７号公報
【発明の概要】
【発明が解決しようとする課題】
【０００６】
本発明は、従来技術における上記課題等に鑑み行われたものであり、直線状の軸線に沿う連結孔部を有する第１部材に対し、その連結孔部に嵌挿された状態で軸線方向にスライドし得る第２部材を、円滑且つ敏速に固定及び固定解除し得る連結体を提供することを目的とする。
【課題を解決するための手段】
【０００７】
本発明は、次のように表すことができる。
【０００８】
(1) 直線状の軸線に沿う連結孔部を有する第１部材と、
直線状の軸線に沿う嵌挿スライド部であって前記連結孔部に嵌挿された状態でその連結孔部に対し軸線方向にスライドし得るものを有する第２部材と、
周方向の一部を切欠し、ほぼ径方向に弾性的に拡縮し得る切欠環状のブレーキ片を有してなる連結体であって、
前記第２部材の嵌挿スライド部に、外周側に作動用ねじ部を有し、外周部の径方向の寸法が軸線方向位置により異なる作動部を備え、
前記ブレーキ片は、ブレーキ用ねじ部を内周側に有し、
前記作動部に前記ブレーキ片が外嵌して前記作動用ねじ部と前記ブレーキ用ねじ部が螺合し、ブレーキ片と第２部材の嵌挿スライド部が軸線のまわりに相対的に回動することにより作動部に対するブレーキ片の相対的な軸線方向位置が変化し得、
作動部の外周部の径方向の寸法が軸線方向位置により異なるため、作動部に対しブレーキ片が軸線方向において所定の位置に位置することにより、ブレーキ片の外周部が前記連結孔部の内周部に圧接する状態となり、作動部に対しブレーキ片が軸線方向において前記所定位置以外の位置に位置することにより、前記連結孔部の内周部に対するブレーキ片の外周部の圧接が解除された状態となり、
連結孔部の内周部に対するブレーキ片の外周部の圧接が解除された状態において、ブレーキ片の外周部の少なくとも一部は第１部材の連結孔部の内周部に接し得、第１部材に対し第２部材を一方の向きに相対回動させることにより、ブレーキ片の外周部の少なくとも一部が第１部材の連結孔部の内周部に接して第１部材に対する回転が阻止又は抑制されたブレーキ片に対し第２部材の嵌挿スライド部が同じ一方の向きに相対回動し、作動部に対しブレーキ片を前記所定の位置に相対的に移動させてブレーキ片の外周部が連結孔部の内周部に対し圧接した状態とすることができ、
ブレーキ片が作動部に対し前記所定の位置に位置してブレーキ片の外周部が連結孔部の内周部に対し圧接した状態において、第１部材に対し第２部材を前記一方の向きとは逆の向きである他方の向きに相対回動させることにより、ブレーキ片に対し第２部材の嵌挿スライド部を同じく他方の向きに相対回動させて作動部に対しブレーキ片を所定の位置から相対的に移動させ、連結孔部の内周部に対するブレーキ片の外周部の圧接状態を解除することができ、
前記作動用ねじ部とブレーキ用ねじ部は、ブレーキ片に対し第２部材の嵌挿スライド部が、連結孔部の内周部に対するブレーキ片の外周部の圧接状態が解除される向きである前記他方の向きに相対回転し続けた場合、作動用ねじ部の解除側終端部とブレーキ用ねじ部の解除側終端部が回転の向きに接し合う状態に達してそれ以上の相対回転が阻止される構造を有し、
ブレーキ用ねじ部の解除側終端部は、ブレーキ片の周方向における切欠部の上流側に位置し、
ブレーキ用ねじ部の解除側終端部と作動用ねじ部の解除側終端部が回転の向きに接し合った状態から、更に第１部材に対し第２部材を前記他方の向きに相対回動させようとした場合に、第１部材に対するブレーキ片の相対回動が妨げられることが防がれることを特徴とする連結体。
【０００９】
第１部材の連結孔部に嵌挿された状態でその連結孔部に対し軸線方向にスライドし得る嵌挿スライド部における、外周部に作動用ねじ部を有する作動部に、切欠環状のブレーキ片が外嵌し、ブレーキ片の内周側のブレーキ用ねじ部と作動部の外周側の作動用ねじ部が螺合している。
【００１０】
ブレーキ片と嵌挿スライド部が軸線のまわりに相対的に回動することにより作動部に対するブレーキ片の相対的な軸線方向位置が変化し、作動部の外周部の径方向の寸法が軸線方向位置により異なるため、作動部に対しブレーキ片が軸線方向において所定の位置に位置することにより、ブレーキ片の外周部が連結孔部の内周部に圧接する状態となり、作動部に対しブレーキ片が軸線方向において前記所定位置以外の位置に位置することにより、連結孔部の内周部に対するブレーキ片の外周部の圧接が解除された状態となる。
【００１１】
連結孔部の内周部に対するブレーキ片の外周部の圧接が解除された状態において、第１部材に対し第２部材を一方の向きに相対回動させることにより、ブレーキ片の外周部の少なくとも一部が第１部材の連結孔部の内周部に接して第１部材に対する回転が阻止又は抑制されたブレーキ片に対し第２部材の嵌挿スライド部が同じ一方の向きに相対回動し、作動部に対しブレーキ片を前記所定の位置に相対的に移動（作動部及びブレーキ片の一方又は両方が他方に対し移動）させてブレーキ片の外周部が連結孔部の内周部に対し圧接した状態として第１部材に対し第２部材を固定することができる。
【００１２】
ブレーキ片が作動部に対し所定の位置に位置してブレーキ片の外周部が連結孔部の内周部に対し圧接した状態において、第１部材に対し第２部材を前記一方の向きとは逆の向きである他方の向きに相対回動させることによりブレーキ片に対し第２部材の嵌挿スライド部を同じく他方の向きに相対回動させて作動部に対しブレーキ片を所定の位置から相対的に移動させ、連結孔部の内周部に対するブレーキ片の外周部の圧接状態を解除して第１部材に対する第２部材の固定を解除することができる。
【００１３】
作動用ねじ部とブレーキ用ねじ部は、ブレーキ片に対し第２部材の嵌挿スライド部が、連結孔部の内周部に対するブレーキ片の外周部の圧接状態が解除される向きである前記他方の向きに相対回転し続けた場合、作動用ねじ部の解除側終端部とブレーキ用ねじ部の解除側終端部が回転の向きに接し合う状態に達してそれ以上の相対回転が阻止される。
【００１４】
そのため、第１部材に対し第２部材を他方の向きに相対回動させる解除操作を行った場合に、ブレーキ用ねじ部と作動用ねじ部の螺合状態が維持されので、連結孔部の内周部に対するブレーキ片の外周部の圧接が解除された状態において、第１部材に対し第２部材を一方の向きに相対回動させることにより、作動部に対しブレーキ片を所定の位置に相対的に移動させてブレーキ片の外周部が連結孔部の内周部に対し圧接した状態として第１部材に対し第２部材を固定する操作を敏速に行うことができる。
【００１５】
また、ブレーキ用ねじ部の解除側終端部と作動用ねじ部の解除側終端部が回転の向きに接し合った状態から、更に第１部材に対し第２部材を前記他方の向きに相対回動させようとすることにより、作動用ねじ部の解除側終端部が、ブレーキ片の周方向における切欠部の上流側に位置するブレーキ用ねじ部の解除側終端部を切欠部に向かって周方向に押してブレーキ片の切欠部が周方向にやや収縮して切欠部の上流側のブレーキ片の外周部がやや内方へ変位する。
【００１６】
そのため、第１部材に対するブレーキ片の回転が第１部材の連結孔部の内周部によって妨げられることが防がれるので、第１部材に対し第２部材が前記他方の向きに相対回動することが阻止又は抑制されることが防がれ、第１部材に対し第２部材を逆の向きである一方の向きに相対回動させて第１部材に対し第２部材を固定する操作に円滑に移行することができる。
【００１７】
(2) ブレーキ用ねじ部の解除側終端部が、ブレーキ片の周方向における切欠部の上流側の２分の１以下の位置に位置する(1)記載の連結体。
【００１８】
ブレーキ用ねじ部の解除側終端部と作動用ねじ部の解除側終端部が回転の向きに接し合った状態から、更に第１部材に対し第２部材を前記他方の向きに相対回動させようとする場合に、作動用ねじ部の解除側終端部が、ブレーキ片の周方向における切欠部の上流側に位置するブレーキ用ねじ部の解除側終端部を切欠部に向かって周方向に押すこととなる。
【００１９】
ブレーキ用ねじ部の解除側終端部が、ブレーキ片の周方向における切欠部の上流側の２分の１以下の位置に位置するので、作動用ねじ部の解除側終端部により切欠部に向かって周方向に押されることによって、ブレーキ片の切欠部が、より確実に周方向に収縮して切欠部の上流側のブレーキ片の外周部がやや内方へ変位し、第１部材に対するブレーキ片の回転が第１部材の連結孔部の内周部によって妨げられることが防がれる。
【００２０】
(3) 作動部に、外周部が膨出した膨出部と、膨出していない非膨出部を有し、
ブレーキ片が作動部の膨出部に位置する場合、そのブレーキ片の外周部は連結孔部の内周部に対し圧接し得、
作動部の非膨出部に位置するブレーキ片の外周部は連結孔部の内周部に対し圧接し得ない
(1)又は(2)記載の連結体。
【００２１】
作動部の非膨出部にブレーキ片が位置し、連結孔部の内周部に対するブレーキ片の外周部の圧接が解除された状態において、第１部材に対し第２部材を一方の向きに相対回動させることにより、ブレーキ片の外周部の少なくとも一部が第１部材の連結孔部の内周部に接して第１部材に対する回転が阻止又は抑制されたブレーキ片に対し第２部材の嵌挿スライド部が同じ一方の向きに相対回動し、ブレーキ片を作動部の膨出部に相対的に移動させてブレーキ片の外周部が連結孔部の内周部に対し圧接した状態とすることができる。
【００２２】
ブレーキ片が作動部の膨出部に位置してブレーキ片の外周部が連結孔部の内周部に対し圧接した状態において、第１部材に対し第２部材を他方の向きに相対回動させることにより、ブレーキ片に対し第２部材の嵌挿スライド部を同じく他方の向きに相対回動させて作動部の非膨出部へブレーキ片を相対的に移動させ、連結孔部の内周部に対するブレーキ片の外周部の圧接状態を解除することができる。
【００２３】
(4) 作動部における前記非膨出部から膨出部にわたる全部又はその一部が、外周部が軸線方向一方に向かって漸次膨出するものである(3)記載の連結体。
【００２４】
この場合、作動部に外嵌したブレーキ片を、作動部の非膨出部と膨出部にわたり相対的に移動させること、及び、それによる連結孔部の内周部に対するブレーキ片の外周部の圧接解除状態と圧接状態の間の移行が、円滑に行われ得る。
【発明の効果】
【００２５】
本発明の連結体は、直線状の軸線に沿う連結孔部を有する第１部材に対し、直線状の軸線に沿う嵌挿スライド部であって前記連結孔部に嵌挿された状態でその連結孔部に対し軸線方向にスライドし得るものを有する第２部材を、円滑且つ敏速に固定し得ると共にスライドさせるために固定を解除し得る。
【図面の簡単な説明】
【００２６】
【図１】本発明の連結体（伸縮パイプ）の第２部材とブレーキ片の斜視図である。
【図２】本発明の連結体（伸縮パイプ）の固定状態の縦断面説明図である。
【図３】本発明の連結体（伸縮パイプ）の固定解除状態の縦断面説明図である。
【図４】本発明の連結体（伸縮パイプ）の横断面説明図である。
【図５】第１比較例の連結体（伸縮パイプ）の第２部材とブレーキ片の斜視図である。
【図６】第１比較例の連結体（伸縮パイプ）の固定解除状態の縦断面説明図である。
【図７】第１比較例の連結体（伸縮パイプ）の横断面説明図である。
【図８】第２比較例の連結体（伸縮パイプ）の第２部材とブレーキ片の斜視図である。
【図９】第２比較例の連結体（伸縮パイプ）の固定解除状態の縦断面説明図である。
【発明を実施するための形態】
【００２７】
[1] 本発明の実施の形態を、図面を参照しつつ説明する。
【００２８】
図１乃至図４は何れも本発明の連結体の実施の形態の一例としての伸縮パイプについてのものである。
【００２９】
(1) この伸縮パイプは、第１部材Ａと第２部材Ｂとブレーキ片Ｃを有してなるものであり、清掃用具の柄として用いられるが、用途はこれに限るものではない。
【００３０】
(2) 第１部材Ａは、円筒形のパイプであって、直線状の軸線に沿う連結孔部Ａ１を有する。
【００３１】
(3) 第２部材Ｂは、基端部（図示せず）を除く部分が嵌挿スライド部Ｂ１である円筒形のパイプである。
【００３２】
嵌挿スライド部Ｂ１は、直線状の軸線に沿っており、第１部材Ａの連結孔部Ａ１に嵌挿された状態でその連結孔部Ａ１に対し軸線方向にスライドし得る。
【００３３】
第２部材Ｂの嵌挿スライド部Ｂ１は、連結孔部Ａ１に嵌挿される奥側の端部である先端部に作動部Ｂ２を有する。
【００３４】
(4) ブレーキ片Ｃは、合成樹脂製の円筒状体における周方向の一部を切欠した形状をなし、切欠部Ｃ１が周方向に拡縮すること等によりほぼ径方向に弾性的に拡縮し得る切欠環状をなす。ブレーキ片Ｃの外周面は平滑面である。
【００３５】
(5) 嵌挿スライド部Ｂ１における作動部Ｂ２は、その先端から基部に向かって外径が漸次拡大する（すなわち、外周部が漸次膨出する）略円錐台形状をなす。
【００３６】
作動部Ｂ２は、外周側に作動用ねじ部Ｂ３を有する。作動用ねじ部Ｂ３は、作動部Ｂ２の先端側の半分程度の部分における軸線方向のまわりの雌ねじである。作動部Ｂ２の基端側の半分程度の部分は円錐台状外周面部Ｂ４である。
【００３７】
ブレーキ片Ｃは、切欠部Ｃ１を横切るブレーキ用ねじ部Ｃ２を内周側に有する。ブレーキ片Ｃの軸線方向における一端部が螺旋状をなし、その螺旋状端部に沿って切欠部Ｃ１を含めて３６０度中心角（必ずしもこれに限らない）にわたり、作動用ねじ部Ｂ３と螺合し得る雄ねじのブレーキ用ねじ部Ｃ２が形成されている。
【００３８】
図２及び図３に示されるように、ブレーキ片Ｃは作動部Ｂ２に外嵌し、作動用ねじ部Ｂ３とブレーキ用ねじ部Ｃ２が螺合している。両者が螺合した状態でブレーキ片Ｃと第２部材Ｂの嵌挿スライド部Ｂ１が軸線のまわりに相対的に回動することにより、作動部Ｂ２に対するブレーキ片Ｃの相対的な軸線方向位置が変化する。
【００３９】
嵌挿スライド部Ｂ１における作動部Ｂ２の軸線方向基端部には、ブレーキ片Ｃが作動部Ｂ２から軸線方向に離脱すること及び作動用ねじ部Ｂ３とブレーキ用ねじ部Ｃ２が螺合状態から離脱することを防ぐための鍔状部Ｂ５を有する。
【００４０】
(6) 作動部Ｂ２の外周部（先端側の作動用ねじ部Ｂ３と基端側の円錐台状外周面部Ｂ４）の径方向の寸法は、先端から基端に向かって漸次拡大する。
【００４１】
ブレーキ片Ｃの軸線方向長さは作動部Ｂ２の軸線方向長さの７割程度である。
【００４２】
作動部Ｂ２のうち基部側の３割程度が、外周部が膨出した膨出部（軸線方向における所定位置）であり、先端側の７割程度は、膨出していない非膨出部（軸線方向における所定位置以外の位置）である。図２に示すように、作動部Ｂ２に対しブレーキ片Ｃが基部側（図２における下方側）に位置することにより、ブレーキ片Ｃのうち作動部Ｂ２における少なくとも基部側の３割程度に位置する部分、すなわちブレーキ片Ｃのうち少なくとも基部側の５割弱の外周部が連結孔部Ａ１の内周部に圧接する状態となり、図３に示すように、作動部Ｂ２に対しブレーキ片Ｃが先端側（図３における上方側）に位置することにより、ブレーキ片Ｃの軸線方向全長にわたる外周部の連結孔部Ａ１の内周部に対する圧接が解除された状態となる。
【００４３】
連結孔部Ａ１の内周部に対するブレーキ片Ｃの外周部の圧接解除及び圧接状態は、次のように実現される。
【００４４】
すなわち、ブレーキ片Ｃが先端側に位置する状態においては作動部Ｂ２に対し径方向に遊びを有する状態でブレーキ片Ｃが外嵌していて、連結孔部Ａ１の内周部に対するブレーキ片Ｃの外周部の圧接は解除状態となっており、ブレーキ片Ｃが基部側に位置する状態においては先端側は径方向の遊びがなくブレーキ片Ｃの外周部の径方向寸法が維持される状態であり基部側はブレーキ片Ｃの外周部が径方向外方に拡大した状態となることにより、連結孔部Ａ１の内周部に対しブレーキ片Ｃの外周部が圧接した状態となる。
【００４５】
(7) ブレーキ片Ｃが作動部Ｂ２の先端側（図３における上方側）に位置して連結孔部Ａ１の内周部に対するブレーキ片Ｃの外周部の圧接が解除された状態においては、作動部Ｂ２に対し径方向に遊びを有する状態でブレーキ片Ｃが外嵌していて、ブレーキ片Ｃの外周部の少なくとも一部が連結孔部Ａ１の内周部に接するものとなる。
【００４６】
この状態において、第１部材Ａに対し第２部材Ｂを一方の向き（図３に示される状態において左回り）に相対回動させると、ブレーキ片Ｃの外周部の少なくとも一部が第１部材Ａの連結孔部Ａ１の内周部に接することにより、第１部材Ａに対するブレーキ片Ｃの回転が阻止又は抑制される。
【００４７】
そのため、ブレーキ片Ｃに対し第２部材Ｂの嵌挿スライド部Ｂ１が前記一方の向きに相対回動し、作動部Ｂ２に対しブレーキ片Ｃを基部側（図２における下方側）に相対的に移動させてブレーキ片Ｃの外周部が連結孔部Ａ１の内周部に対し圧接した状態として第１部材Ａに対し第２部材Ｂを固定することができる。
【００４８】
図２に示すようにブレーキ片Ｃが作動部Ｂ２に対し基部側に位置してブレーキ片Ｃの外周部が連結孔部Ａ１の内周部に対し圧接した状態において、第１部材Ａに対し第２部材Ｂを前記一方の向きとは逆の向きである他方の向き（図２に示される状態において右回り）に相対回動させると、連結孔部Ａ１の内周部に対し圧接したブレーキ片Ｃに対し第２部材Ｂの嵌挿スライド部Ｂ１を同じく他方の向きに相対回動させて作動部Ｂ２に対しブレーキ片Ｃを先端側へ移動させ、連結孔部Ａ１の内周部に対するブレーキ片Ｃの外周部の圧接状態を解除して第１部材Ａに対する第２部材Ｂの固定を解除することができる。
【００４９】
(8) 作動用ねじ部Ｂ３とブレーキ用ねじ部Ｃ２は、ブレーキ片Ｃに対し第２部材Ｂの嵌挿スライド部Ｂ１が、連結孔部Ａ１の内周部に対するブレーキ片Ｃの外周部の圧接状態が解除される向きである前記他方の向き（図２及び図３に示される状態において右回り）に相対回転し続けた場合、作動用ねじ部Ｂ３の解除側終端部ＢＸとブレーキ用ねじ部Ｃ２の解除側終端部ＣＸが回転の向きに接し合う状態に達してそれ以上の相対回転が阻止される構造を有する。すなわち、作動用ねじ部Ｂ３が螺旋状溝部（雌ねじ部）でブレーキ用ねじ部Ｃ２が螺旋状突部（雄ねじ部）であり、螺旋状溝部の解除側終端部ＢＸ（軸線方向先端側の端部）が溝部において螺旋の方向に対し垂直状に形成された壁部、螺旋状突部の解除側終端部ＣＸ（軸線方向先端側の端部）が螺旋の方向に対し垂直状に形成された端面であって、両者が当接してそれ以上の相対回転が阻止される構造である。
【００５０】
(9) ブレーキ用ねじ部Ｃ２の解除側終端部ＣＸは、ブレーキ片Ｃの周方向における切欠部Ｃ１の上流側の３分の１の位置に位置する。
【００５１】
ブレーキ用ねじ部Ｃ２の解除側終端部ＣＸと作動用ねじ部Ｂ３の解除側終端部ＢＸが回転の向きに接し合った状態から、更に第１部材Ａに対し第２部材Ｂを前記他方の向き（図３に示される状態において右回り）に相対回動させようとすることにより、図４に示されるように、作動用ねじ部Ｂ３の解除側終端部ＢＸが、ブレーキ片Ｃの周方向における切欠部Ｃ１の上流側に位置するブレーキ用ねじ部Ｃ２の解除側終端部ＣＸを、矢印ＢＲのように切欠部Ｃ１に向かって周方向に押してブレーキ片Ｃの切欠部Ｃ１が周方向にやや収縮し、切欠部Ｃ１の上流側のブレーキ片Ｃの外周部が矢印ＣＲのようにやや内方へ変位する。
【００５２】
そのため、第１部材Ａに対するブレーキ片Ｃの回転が第１部材Ａの連結孔部Ａ１の内周部によって妨げられること（従って、第１部材Ａに対し第２部材Ｂが前記他方の向きに相対回動することが阻止又は抑制されること）が防がれるので、第１部材Ａに対し第２部材Ｂを逆の向きである一方の向き（図２に示される状態において左回り）に相対回動させて第１部材Ａに対し第２部材Ｂを固定する操作に円滑に移行することができる。
【００５３】
(10) 第１比較例の連結体（伸縮パイプ）に関する図５、図６及び図７は、ブレーキ用ねじ部ＣＰの解除側終端部ＣＱが、ブレーキ片Ｃの周方向における切欠部Ｃ１の下流側に面して位置することを除き、それぞれ、図１、図３及び図４と同様である。
【００５４】
この場合、ブレーキ用ねじ部Ｃ２の解除側終端部ＣＱと作動用ねじ部Ｂ３の解除側終端部ＢＸが回転の向きに接し合った状態から、更に第１部材Ａに対し第２部材Ｂを前記他方の向き（図６に示される状態において右回り）に相対回動させようとすることにより、図７に示されるように、作動用ねじ部Ｂ３の解除側終端部ＢＸが、ブレーキ片Ｃの周方向における切欠部Ｃ１の下流側に面するブレーキ用ねじ部ＣＰの解除側終端部ＣＱを、矢印ＢＳのように切欠部Ｃ１から離れるように周方向に押してブレーキ片Ｃの切欠部Ｃ１が周方向にやや拡大し、切欠部Ｃ１の下流側のブレーキ片Ｃの外周部が矢印ＣＳのようにやや外方へ変位する。
【００５５】
そのため、第１部材Ａに対するブレーキ片Ｃの回転が第１部材Ａの連結孔部Ａ１の内周部によって妨げられる（従って、第１部材Ａに対し第２部材Ｂが前記他方の向きに相対回動することが阻止又は抑制される）ので、第１部材Ａに対し第２部材Ｂを逆の向きである一方の向き（図６に示される状態において左回り）に相対回動させて第１部材Ａに対し第２部材Ｂを固定する操作に円滑に移行することができない。また、このように第１部材Ａに対するブレーキ片Ｃの回転が第１部材Ａの連結孔部Ａ１の内周部によって妨げられる状態を、ブレーキ片Ｃの外周部を連結孔部Ａ１の内周部に対し圧接させて第１部材Ａに対し第２部材Ｂを固定したものと誤認するおそれも生じる。
【００５６】
(11) 第２比較例の連結体（伸縮パイプ）に関する図８及び図９は、作動用ねじ部ＢＰの解除側終端部ＢＱが開放状態であり、作動部Ｂ２の先端側に鍔状部ＢＹを有することを除き、それぞれ、図５及び図６と同様である。
【００５７】
この場合、作動用ねじ部Ｂ３とブレーキ用ねじ部Ｃ２は、ブレーキ片Ｃに対し第２部材Ｂの嵌挿スライド部Ｂ１が、連結孔部Ａ１の内周部に対するブレーキ片Ｃの外周部の圧接状態が解除される向きである前記他方の向き（図９に示される状態において右回り）に相対回転し続けると、ブレーキ用ねじ部Ｃ２の解除側終端部ＣＱは作動用ねじ部Ｂ３の解除側終端部ＢＱを通過して空回りし、相対回転は阻止されない。その場合でも、鍔状部ＢＹによって、ブレーキ片Ｃが作動部Ｂ２から離脱することが防がれ、ブレーキ片Ｃが作動部Ｂ２に外嵌し、作動用ねじ部Ｂ３とブレーキ用ねじ部Ｃ２が螺合した状態が維持される。
【００５８】
しかしながら、このようにブレーキ用ねじ部Ｃ２の解除側終端部ＣＱが作動用ねじ部Ｂ３の解除側終端部ＢＱを通過して空回りした状態において、第１部材Ａに対し第２部材Ｂを逆の向きである一方の向き（図９に示される状態において左回り）に相対回動させて第１部材Ａに対し第２部材Ｂを固定しようとすると、空回りした中心角分の逆向きの相対回動（但し、３６０度未満）を余計に必要とすることとなり、第１部材Ａに対する第２部材Ｂの固定を敏速且つ円滑に行うことが妨げられる。
【００５９】
[2] 本発明の実施の形態を、上記以外の形態を含めて更に説明する。
【００６０】
(1) 本発明の連結体は、第１部材と第２部材とブレーキ片を有してなる。
【００６１】
本発明の連結体の具体例としては、モップ若しくはその他の清掃用具又はその他の器具の柄、或いは物干し竿等として用いられる金属製又はその他の材料からなる伸縮パイプを挙げることができるが、これらに限るもではなく、パイプ以外のものであってもよい。
【００６２】
(2) 第１部材は、直線状の軸線に沿う連結孔部を有するものであり、連結孔部は円柱形状であることが一般的であるが、これに限るものではなく、直線状の軸線に沿う多角形状横断面の連結孔部であってもよい。
【００６３】
第１部材の具体例としては、円筒形のパイプ状のものを挙げることができるが、これに限るものではない。
【００６４】
(3) 第２部材は、直線状の軸線に沿う嵌挿スライド部を有する。
【００６５】
嵌挿スライド部は、第１部材の連結孔部に嵌挿された状態でその連結孔部に対し軸線方向にスライドし得るものである。
【００６６】
第２部材の部分又は全部を嵌挿スライド部とすることができる。
【００６７】
また、嵌挿スライド部は、その部分又は全部を、第１部材の連結孔部に対し軸線方向にスライドして挿脱し得るものとすることができる。
【００６８】
嵌挿スライド部の一部が第１部材の連結孔部から脱離しないものとするには、例えば、連結孔部のうち嵌挿スライド部が出入する開口部付近又はその他の箇所に他の部分よりも内方に（環状に又は１若しくは複数箇所において）突起した内方突起部を設け、嵌挿スライド部のうち連結孔部の内方突起部よりも奥側に位置する部分に、その内方突起部により連結孔部の開口部側への移動が阻止される外方突起部を設けるという手段を挙げることができるが、これに限るものではない。
【００６９】
第２部材の嵌挿スライド部には、連結孔部に嵌挿される奥側の端部付近又はその他の位置に作動部を備える。
【００７０】
(4) ブレーキ片は、合成樹脂若しくはその他の材料からなる円筒状体又はその他の形状の環状体における周方向の一部を切欠した形状をなし、切欠部が周方向に拡縮すること等によりほぼ径方向に弾性的に拡縮し得る切欠環状をなすものとすることができる。
【００７１】
ブレーキ片の外周面は、平滑面とすることができる他、連結孔部の内周部との間の摩擦力を調整するために、多数の軸線方向溝若しくは突条又は多数の小突起若しくは凹部を設けることや、ゴム状材料若しくはその他の摩擦力の調整が可能な材料で被覆すること等も可能である。
【００７２】
(5) 嵌挿スライド部における作動部は、外周側に作動用ねじ部を有する。作動用ねじ部は、作動部の軸線方向における部分（例えば軸線方向一方の側の３乃至７割程度）又は全部にわたり設けることができる。また作動用ねじ部は、軸線方向のまわりの雄ねじ部又は雌ねじ部とすることができる。
【００７３】
ブレーキ片は、ブレーキ用ねじ部を内周側に有する。ブレーキ用ねじ部は、前記切欠部を横切るものとすることができる。また、ブレーキ用ねじ部は、ブレーキ片の軸線方向における部分（例えばブレーキ片の軸線方向における一端部が螺旋状をなし、その螺旋状端部に沿ってブレーキ用ねじ部を有するものとすることができる）又は全部にわたり設けることができる。また、ブレーキ用ねじ部は、作動用ねじ部と螺合し得る軸線方向のまわりの雌ねじ部又は雄ねじ部とすることができる。
【００７４】
ブレーキ片は作動部に外嵌し、作動用ねじ部とブレーキ用ねじ部が螺合している。両者が螺合した状態でブレーキ片と第２部材の嵌挿スライド部が軸線のまわりに相対的に回動することにより、作動部に対するブレーキ片の相対的な軸線方向位置が変化する。
【００７５】
嵌挿スライド部における作動部の軸線方向両端部（又は一端部）には、それぞれ、ブレーキ片が作動部から軸線方向に離脱すること（特に、作動用ねじ部とブレーキ用ねじ部が螺合状態から離脱すること）を防ぐための鍔状部を有するものとすることができる。
【００７６】
(6) 作動部の外周部（作動用ねじ部と例えば円筒状外周面部および／または円錐台状外周面部）の径方向の寸法は、軸線方向位置により異なるため、作動部に対しブレーキ片が軸線方向において所定の位置に位置することにより、ブレーキ片の外周部が連結孔部の内周部に圧接する状態となり、作動部に対しブレーキ片が軸線方向において前記所定位置以外の位置に位置することにより、連結孔部の内周部に対するブレーキ片の外周部の圧接が解除された状態となる。
【００７７】
例えば、作動部に、外周部が膨出した膨出部（軸線方向における所定位置）と、膨出していない非膨出部（軸線方向における所定位置以外の位置）を有する場合、ブレーキ片が作動部の膨出部に位置するときは、そのブレーキ片の外周部は連結孔部の内周部に対し圧接し得、作動部の非膨出部に位置するブレーキ片の外周部は連結孔部の内周部に対し圧接し得ないものとすることができる。
【００７８】
また、作動部における前記非膨出部から膨出部にわたる全部又はその一部が、外周部が軸線方向一方に向かって漸次膨出するものとすることができる。
【００７９】
作動部の外周部の径方向の寸法は、作動部の軸線方向における一端から他端に向かって、例えば、非膨出状態から膨出状態へ漸次膨出；非膨出（一定）・漸次膨出・膨出（一定）；非膨出状態から膨出状態へ漸次膨出・膨出（一定）；非膨出（一定）・膨出（一定）等と変化するものとすることができるが、これらに限るものではなく、非膨出（一定）・漸次膨出・膨出（一定）・漸次縮小・非膨出（一定）；非膨出（一定）・膨出（一定）・非膨出（一定）と変化するものとすることも可能である。
【００８０】
連結孔部の内周部に対するブレーキ片の外周部の圧接解除及び圧接状態は、例えば次のように実現される。
【００８１】
すなわち、例えば、所定位置以外の軸線方向位置においては作動部に対し径方向に遊びを有する状態でブレーキ片が外嵌していて、連結孔部の内周部に対するブレーキ片の外周部の圧接は解除状態となっており、作動部の外周部が膨出した所定位置においては径方向の遊びがなくブレーキ片の外周部の径方向寸法が維持される状態又はブレーキ片の外周部が径方向外方に拡大してブレーキ片が外嵌した状態となることにより、連結孔部の内周部に対しブレーキ片の外周部が圧接した状態となるものとすることができる。
【００８２】
或いは例えば、所定位置以外の軸線方向位置においては作動部に対し径方向に遊びがない状態でブレーキ片が外嵌していて、連結孔部の内周部に対するブレーキ片の外周部の圧接は解除状態となっており、作動部の外周部が膨出した所定位置においてはブレーキ片の外周部が径方向外方に拡大してブレーキ片が外嵌した状態となることにより、連結孔部の内周部に対しブレーキ片の外周部が圧接した状態となるものとすることができる。
【００８３】
(7) 連結孔部の内周部に対するブレーキ片の外周部の圧接が解除された状態において、ブレーキ片の外周部の少なくとも一部は第１部材の連結孔部の内周部に接し得る。
【００８４】
このような例としては、連結孔部の内周部に対するブレーキ片の外周部の圧接が解除された状態において、例えば、作動部に対し径方向に遊びを有する状態でブレーキ片が外嵌していて、ブレーキ片の外周部の少なくとも一部が連結孔部の内周部に接する場合、或いは例えば、作動部に対し径方向に遊びのない状態でブレーキ片が外嵌していて、ブレーキ片の外周部の一部が弾性的に径方向外方へ立ち上がって連結孔部の内周部に接する場合を挙げることができる。
【００８５】
連結孔部の内周部に対するブレーキ片の外周部の圧接が解除された状態において、第１部材に対し第２部材を一方の向きに相対回動させると、ブレーキ片の外周部の少なくとも一部が第１部材の連結孔部の内周部に接することにより、第１部材に対するブレーキ片の回転が阻止又は抑制される。
【００８６】
そのため、ブレーキ片に対し第２部材の嵌挿スライド部が前記一方の向きに相対回動し、作動部に対しブレーキ片を前記所定の位置に相対的に移動させてブレーキ片の外周部が連結孔部の内周部に対し圧接した状態とすることができる。
【００８７】
ブレーキ片が作動部に対し前記所定の位置に位置してブレーキ片の外周部が連結孔部の内周部に対し圧接した状態において、第１部材に対し第２部材を前記一方の向きとは逆の向きである他方の向きに相対回動させると、連結孔部の内周部に対し圧接したブレーキ片に対し第２部材の嵌挿スライド部を同じく他方の向きに相対回動させて作動部に対しブレーキ片を所定の位置から相対的に移動させ、連結孔部の内周部に対するブレーキ片の外周部の圧接状態を解除することができる。
【００８８】
なお、例えば、軸線方向において前記所定位置を挟んで両側に所定位置以外の位置が存在する場合は、連結孔部の内周部に対するブレーキ片の外周部の圧接が解除された状態において、第１部材に対し第２部材を一方の向きに相対回動させることにより、ブレーキ片の外周部が連結孔部の内周部に対し圧接した状態として第１部材に対し第２部材を固定することができ、ブレーキ片が作動部に対し所定の位置に位置してブレーキ片の外周部が連結孔部の内周部に対し圧接した状態において、第１部材に対し第２部材を前記一方の向きとは逆の向きである他方の向きに又は前記一方の向きと同じ向きに相対回動させることにより連結孔部の内周部に対するブレーキ片の外周部の圧接状態を解除して第１部材に対する第２部材の固定を解除することができる。
【００８９】
(8) 作動用ねじ部とブレーキ用ねじ部は、ブレーキ片に対し第２部材の嵌挿スライド部が、連結孔部の内周部に対するブレーキ片の外周部の圧接状態が解除される向きである前記他方の向きに相対回転し続けた場合（或いは、例えば前記のように軸線方向において前記所定位置を挟んで両側に所定位置以外の位置が存在する場合は、前記他方の向きに又は前記一方の向きに相対回転し続けた場合）、作動用ねじ部の解除側終端部とブレーキ用ねじ部の解除側終端部が回転の向きに接し合う状態に達してそれ以上の相対回転が阻止される構造を有する。
【００９０】
このような構造は、例えば、作動用ねじ部とブレーキ用ねじ部の一方が螺旋状溝部（雌ねじ部）で他方が螺旋状突部（雄ねじ部）である場合に、螺旋状溝部の解除側終端部が溝部において螺旋の方向に対し垂直状に形成された壁部、螺旋状突部の解除側終端部が螺旋の方向に対し垂直状に形成された端面であって、両者が当接してそれ以上の相対回転が阻止される構造とすることができるが、これに限るものではない。
【００９１】
例えば第２部材の先端部に嵌挿スライド部の作動部を有する場合、作動部に外嵌されたブレーキ片におけるブレーキ用ねじ部の解除側終端部は、ブレーキ用ねじ部における嵌挿スライド部の先端側に位置するものとすることができるが、基端側でも可能である。
【００９２】
(9) ブレーキ用ねじ部の解除側終端部は、ブレーキ片の周方向における切欠部の上流側に位置する。すなわち、ブレーキ用ねじ部の解除側終端部に向かう側を上流側として、ブレーキ用ねじ部の解除側終端部が、ブレーキ片の周方向における切欠部の上流側（切欠部から見て周方向を二分した場合の上流側の半分）に位置する。好ましくは、切欠部の上流側のうち２分の１以下（上流側を二分した場合の切欠部に近い側）の位置（より好ましくは３分の１以下の位置）である。
【００９３】
これにより、ブレーキ用ねじ部の解除側終端部と作動用ねじ部の解除側終端部が回転の向きに接し合った状態から、更に第１部材に対し第２部材を前記他方の向きに相対回動させようとした場合に、第１部材に対するブレーキ片の相対回動が妨げられることが防がれるので、第１部材に対し第２部材が前記他方の向きに相対回動することが阻止又は抑制されることが防がれる。
【符号の説明】
【００９４】
Ａ        第１部材
Ａ１      連結孔部
Ｂ        第２部材
Ｂ１      嵌挿スライド部
Ｂ２      作動部
Ｂ３      作動用ねじ部
Ｂ４      円錐台状外周面部
Ｂ５      鍔状部
ＢＰ      作動用ねじ部
ＢＱ      解除側終端部
ＢＲ      矢印
ＢＳ      矢印
ＢＸ      解除側終端部
ＢＹ      鍔状部
Ｃ        ブレーキ片
Ｃ１      切欠部
Ｃ２      ブレーキ用ねじ部
ＣＰ      ブレーキ用ねじ部
ＣＱ      解除側終端部
ＣＲ      矢印
ＣＳ      矢印
ＣＸ      解除側終端部
【図１】
2015161383.tif 000003
【図２】
2015161383.tif 000004
【図３】
2015161383.tif 000005
【図４】
2015161383.tif 000006
【図５】
2015161383.tif 000007
【図６】
2015161383.tif 000008
【図７】
2015161383.tif 000009
【図８】
2015161383.tif 000010
【図９】
2015161383.tif 000011